【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
共有された通信媒体へのアクセスを求めて競合する方法であって、
前記共有された通信媒体上で、ダウンリンクサブフレームのセットおよびアップリンクサブフレームのセットを定義する時分割複信（ＴＤＤ）フレーム構造に従って通信することと、各アップリンクサブフレームは、送信ギャップ期間、コンテンション免除期間、およびコンテンション準拠期間に分割される、
前記送信ギャップ期間の間に、前記共有された通信媒体へのアクセスを求めて競合するためのコンテンションプロシージャを実施することと、
前記コンテンションプロシージャの結果に基づいて、前記コンテンション準拠期間の間に、１つまたは複数のコンテンション準拠アップリンク制御信号を選択的に送信することと、
前記コンテンションプロシージャの前記結果に関わらず、前記コンテンション免除期間の間に、１つまたは複数のコンテンション免除アップリンク制御信号を送信することと、
を備える、方法。
【請求項２】
前記アップリンク制御信号が、物理アップリンク制御チャネル（ＰＵＣＣＨ）に対応する、請求項１に記載の方法。
【請求項３】
前記送信ギャップ期間、前記コンテンション免除期間、および前記コンテンション準拠期間が、集合的に、各アップリンクサブフレームの一部のみまたは全体にわたる、請求項１に記載の方法。
【請求項４】
アップリンクサブフレームの前記セットは、完全にアップリンクシグナリング専用の少なくとも１つのサブフレーム、ダウンリンク部分およびアップリンク部分を有する部分的にアップリンクシグナリング専用の少なくとも１つのサブフレーム、またはそれらの組合せを備える、請求項１に記載の方法。
【請求項５】
各アップリンクサブフレーム内で、前記コンテンション免除期間は前記送信ギャップ期間に先行し、前記送信ギャップ期間は前記コンテンション準拠期間に先行する、請求項１に記載の方法。
【請求項６】
各アップリンクサブフレーム内で、前記送信ギャップ期間は前記コンテンション準拠期間に先行し、前記コンテンション準拠期間は前記コンテンション免除期間に先行する、請求項１に記載の方法。
【請求項７】
各アップリンクサブフレーム内で、前記コンテンション準拠期間は前記コンテンション免除期間に先行し、前記コンテンション免除期間は前記送信ギャップ期間に先行する、請求項１に記載の方法。
【請求項８】
前記実施すること、前記選択的に送信すること、および前記送信することは、前記送信ギャップ期間、前記コンテンション免除期間、および前記コンテンション準拠期間の各々について定義された複数のアクセス端末リソースのうちの第１のセットのアクセス端末リソース上で実施される、請求項１に記載の方法。
【請求項９】
共有された通信媒体へのアクセスを求めて競合するための装置であって、
前記共有された通信媒体上で、ダウンリンクサブフレームのセットおよびアップリンクサブフレームのセットを定義する時分割複信（ＴＤＤ）フレーム構造に従って通信するための手段と、各アップリンクサブフレームは、送信ギャップ期間、コンテンション免除期間、およびコンテンション準拠期間に分割される、
前記送信ギャップ期間の間に、前記共有された通信媒体へのアクセスを求めて競合するためのコンテンションプロシージャを実施するための手段と、
前記コンテンションプロシージャの結果に基づいて、前記コンテンション準拠期間の間に、１つまたは複数のコンテンション準拠アップリンク制御信号を選択的に送信するための手段と、
前記コンテンションプロシージャの前記結果に関わらず、前記コンテンション免除期間の間に、１つまたは複数のコンテンション免除アップリンク制御信号を送信するための手段と、
を備える、装置。
【請求項１０】
前記アップリンク制御信号が、物理アップリンク制御チャネル（ＰＵＣＣＨ）に対応する、請求項９に記載の方法。
【請求項１１】
前記送信ギャップ期間、前記コンテンション免除期間、および前記コンテンション準拠期間が、集合的に、各アップリンクサブフレームの一部のみまたは全体にわたる、請求項９に記載の方法。
【請求項１２】
アップリンクサブフレームの前記セットは、完全にアップリンクシグナリング専用の少なくとも１つのサブフレーム、ダウンリンク部分およびアップリンク部分を有する部分的にアップリンクシグナリング専用の少なくとも１つのサブフレーム、またはそれらの組合せを備える、請求項９に記載の方法。
【請求項１３】
各アップリンクサブフレーム内で、前記コンテンション免除期間は前記送信ギャップ期間に先行し、前記送信ギャップ期間は前記コンテンション準拠期間に先行する、請求項９に記載の方法。
【請求項１４】
各アップリンクサブフレーム内で、前記送信ギャップ期間は前記コンテンション準拠期間に先行し、前記コンテンション準拠期間は前記コンテンション免除期間に先行する、請求項９に記載の方法。
【請求項１５】
請求項１乃至８のいずれか一項に記載の方法を実施するための命令を備える、コンピュータプログラム命令。
【手続補正２】
【補正対象書類名】明細書
【補正対象項目名】００９４
【補正方法】変更
【補正の内容】
【００９４】
[00109]  前述の開示は、様々な例示的な態様を示すが、添付の特許請求の範囲によって定義される適用範囲から逸脱することなく、例示された例に対して様々な変更および修正が成され得ることに留意されたい。本開示は、具体的に例示された例だけに限定されるようには意図されていない。例えば、特に断りがない限り、ここに説明された本開示の態様による方法の請求項のアクション、ステップ、および／または機能は、いかなる特定の順序で実施される必要もない。さらに、ある特定の態様は、単数形で説明され得るまたは特許請求され得るが、単数形への限定が明記されていない限り、複数形が考慮されている。
以下に本願の出願当初の特許請求の範囲に記載された発明を付記する。
［Ｃ１］
共有された通信媒体へのアクセスを求めて競合する方法であって、
前記共有された通信媒体上で、ダウンリンクサブフレームのセットおよびアップリンクサブフレームのセットを定義する時分割複信（ＴＤＤ）フレーム構造に従って通信することと、各アップリンクサブフレームは、送信ギャップ期間、コンテンション免除期間、およびコンテンション準拠期間に分割される、
前記送信ギャップ期間の間に、前記共有された通信媒体へのアクセスを求めて競合するためのコンテンションプロシージャを実施することと、
前記コンテンションプロシージャの結果に基づいて、前記コンテンション準拠期間の間に、１つまたは複数のコンテンション準拠アップリンク制御信号を選択的に送信することと、
前記コンテンションプロシージャの前記結果に関わらず、前記コンテンション免除期間の間に、１つまたは複数のコンテンション免除アップリンク制御信号を送信することと、  を備える、方法。
［Ｃ２］
前記アップリンク制御信号が、物理アップリンク制御チャネル（ＰＵＣＣＨ）に対応する、Ｃ１に記載の方法。
［Ｃ３］
前記送信ギャップ期間、前記コンテンション免除期間、および前記コンテンション準拠期間が、集合的に、各アップリンクサブフレームの一部のみまたは全体にわたる、Ｃ１に記載の方法。
［Ｃ４］
アップリンクサブフレームの前記セットは、完全にアップリンクシグナリング専用の少なくとも１つのサブフレーム、ダウンリンク部分およびアップリンク部分を有する部分的にアップリンクシグナリング専用の少なくとも１つのサブフレーム、またはそれらの組合せを備える、Ｃ１に記載の方法。
［Ｃ５］
各アップリンクサブフレーム内で、前記コンテンション免除期間は前記送信ギャップ期間に先行し、前記送信ギャップ期間は前記コンテンション準拠期間に先行する、Ｃ１に記載の方法。
［Ｃ６］
各アップリンクサブフレーム内で、前記送信ギャップ期間は前記コンテンション準拠期間に先行し、前記コンテンション準拠期間は前記コンテンション免除期間に先行する、Ｃ１に記載の方法。
［Ｃ７］
各アップリンクサブフレーム内で、前記コンテンション準拠期間は前記コンテンション免除期間に先行し、前記コンテンション免除期間は前記送信ギャップ期間に先行する、Ｃ１に記載の方法。
［Ｃ８］
前記実施すること、前記選択的に送信すること、および前記送信することは、前記送信ギャップ期間、前記コンテンション免除期間、および前記コンテンション準拠期間の各々について定義された複数のアクセス端末リソースのうちの第１のセットのアクセス端末リソース上で実施される、Ｃ１に記載の方法。
［Ｃ９］
共有された通信媒体上でアクノレッジメントをスケジューリングするための方法であって、
アクセス端末によって、前記共有された通信媒体上で、ダウンリンクサブフレームのセットおよびアップリンクサブフレームのセットを定義する時分割複信（ＴＤＤ）フレーム構造に従って、アクセスポイントと通信することと、
前記アクセス端末において前記アクセスポイントから、前記共有された通信媒体のダウンリンクサブフレームを受信することと、
前記アクセス端末によって前記アクセスポイントに、前記共有された通信媒体のアップリンクサブフレームの間に、前記ダウンリンクサブフレームのアクノレッジメントを送信することと、前記アップリンクサブフレームは、前記ダウンリンクサブフレームから少なくとも予め決定された数のサブフレーム後に発生するか、前記ダウンリンクサブフレームから少なくとも予め決定された時間量後に発生するか、またはそれらの任意の組合せで発生する、
を備える、方法。
［Ｃ１０］
前記共有された通信媒体は、物理アップリンク制御チャネル（ＰＵＣＣＨ）を備える、Ｃ９に記載の方法。
［Ｃ１１］
前記予め決定された時間量は、予め決定されたミリ秒単位の長さを備える、Ｃ９に記載の方法。
［Ｃ１２］
前記アクノレッジメントは、クリアチャネルアセスメント（ＣＣＡ）免除アクノレッジメントを備える、Ｃ９に記載の方法。
［Ｃ１３］
前記アクセスポイントが前記アクノレッジメントを受信しないことに基づいて、前記アクセス端末において前記アクセスポイントから、前記アクノレッジメントを送信することを求める要求を受信することと、
前記アクセス端末によって前記アクセスポイントに、前記アクセスポイントによって決定された前記共有された通信媒体のアップリンクサブフレームの間に、前記ダウンリンクサブフレームのアクノレッジメントを送信することと、
をさらに備える、Ｃ１２に記載の方法。
［Ｃ１４］
前記アクセスポイントによって決定された前記共有された通信媒体の前記アップリンクサブフレームの間に送信される前記ダウンリンクサブフレームの前記アクノレッジメントは、ＣＣＡ準拠アクノレッジメントを備える、Ｃ１３に記載の方法。
［Ｃ１５］
前記送信することは、前記アクセス端末に割り当てられた前記アクセスポイントの送信機会（ＴｘＯＰ）の間に、前記ダウンリンクサブフレームの前記アクノレッジメントを送信することを備える、Ｃ９に記載の方法。
［Ｃ１６］
前記ダウンリンクサブフレームから少なくとも前記予め決定された数のサブフレーム後に発生する前記アップリンクサブフレームは、前記アクセス端末に割り当てられた前記アクセスポイントの現在のまたは後続の送信機会（ＴｘＯＰ）内のサブフレームのカウントに基づいて決定される、Ｃ９に記載の方法。
［Ｃ１７］
前記ダウンリンクサブフレームから少なくとも前記予め決定された時間量後に発生する前記アップリンクサブフレームは、絶対時間の測定に基づいて決定され、
前記ダウンリンクサブフレームから少なくとも前記予め決定された時間量後に発生する前記アップリンクサブフレームは、前記ダウンリンクサブフレームから少なくとも前記予め決定された時間量後に発生する前記アクセス端末に割り当てられた前記アクセスポイントの送信機会（ＴｘＯＰ）の最初のアップリンクサブフレームを備える、
Ｃ９に記載の方法。
［Ｃ１８］
前記アクノレッジメントは、ポジティブアクノレッジメント（ＡＣＫ）またはネガティブアクノレッジメント（ＮＡＣＫ）を備える、Ｃ９に記載の方法。
［Ｃ１９］
共有された通信媒体へのアクセスを求めて競合するための装置であって、
トランシーバと、
少なくとも１つのプロセッサと、
を備え、
前記少なくとも１つのプロセッサは、前記トランシーバに、
前記共有された通信媒体上で、ダウンリンクサブフレームのセットおよびアップリンクサブフレームのセットを定義する時分割複信（ＴＤＤ）フレーム構造に従って通信することと、各アップリンクサブフレームは、送信ギャップ期間、コンテンション免除期間、およびコンテンション準拠期間に分割される、
前記送信ギャップ期間の間に、前記共有された通信媒体へのアクセスを求めて競合するためのコンテンションプロシージャを実施することと、
前記コンテンションプロシージャの結果に基づいて、前記コンテンション準拠期間の間に、１つまたは複数のコンテンション準拠アップリンク制御信号を選択的に送信することと、
前記コンテンションプロシージャの前記結果に関わらず、前記コンテンション免除期間の間に、１つまたは複数のコンテンション免除アップリンク制御信号を送信することと、
を行わせるように構成される、装置。
［Ｃ２０］
前記アップリンク制御信号が、物理アップリンク制御チャネル（ＰＵＣＣＨ）に対応する、Ｃ１９に記載の装置。
［Ｃ２１］
前記送信ギャップ期間、前記コンテンション免除期間、および前記コンテンション準拠期間が、集合的に、各アップリンクサブフレームの一部のみまたは全体にわたる、Ｃ１９に記載の装置。
［Ｃ２２］
アップリンクサブフレームの前記セットは、完全にアップリンクシグナリング専用の少なくとも１つのサブフレーム、ダウンリンク部分およびアップリンク部分を有する部分的にアップリンクシグナリング専用の少なくとも１つのサブフレーム、またはそれらの組合せを備える、Ｃ１９に記載の装置。
［Ｃ２３］
各アップリンクサブフレーム内で、前記コンテンション免除期間は前記送信ギャップ期間に先行し、前記送信ギャップ期間は前記コンテンション準拠期間に先行する、Ｃ１９に記載の装置。
［Ｃ２４］
各アップリンクサブフレーム内で、前記送信ギャップ期間は前記コンテンション準拠期間に先行し、前記コンテンション準拠期間は前記コンテンション免除期間に先行する、Ｃ１９に記載の装置。
［Ｃ２５］
各アップリンクサブフレーム内で、前記コンテンション準拠期間は前記コンテンション免除期間に先行し、前記コンテンション免除期間は前記送信ギャップ期間に先行する、Ｃ１９に記載の装置。
［Ｃ２６］
前記コンテンションプロシージャの前記実施、前記１つまたは複数のコンテンション準拠アップリンク制御信号の前記選択的な送信、および前記１つまたは複数のコンテンション免除アップリンク制御信号の前記送信は、前記送信ギャップ期間、前記コンテンション免除期間、および前記コンテンション準拠期間の各々について定義された複数のアクセス端末リソースのうちの第１のセットのアクセス端末リソース上で実施される、Ｃ１９に記載の装置。
［Ｃ２７］
共有された通信媒体上でアクノレッジメントをスケジューリングするための装置であって、
アクセス端末のトランシーバと、
前記アクセス端末の少なくとも１つのプロセッサと、
を備え、
前記少なくとも１つのプロセッサは、前記トランシーバに、
前記共有された通信媒体上で、ダウンリンクサブフレームのセットおよびアップリンクサブフレームのセットを定義する時分割複信（ＴＤＤ）フレーム構造に従って、アクセスポイントと通信することと、
前記アクセスポイントから、前記共有された通信媒体のダウンリンクサブフレームを受信することと、
前記アクセスポイントに、前記共有された通信媒体のアップリンクサブフレームの間に、前記ダウンリンクサブフレームのアクノレッジメントを送信することと、前記アップリンクサブフレームは、前記ダウンリンクサブフレームから少なくとも予め決定された数のサブフレーム後に発生するか、前記ダウンリンクサブフレームから少なくとも予め決定された時間量後に発生するか、またはそれらの任意の組合せで発生する、
を行わせるように構成される、装置。
［Ｃ２８］
前記共有された通信媒体は、物理アップリンク制御チャネル（ＰＵＣＣＨ）を備える、Ｃ２７に記載の装置。
［Ｃ２９］
前記予め決定された時間量は、予め決定されたミリ秒単位の長さを備える、Ｃ２７に記載の装置。
［Ｃ３０］
前記アクノレッジメントは、クリアチャネルアセスメント（ＣＣＡ）免除アクノレッジメントを備える、Ｃ２７に記載の装置。
［Ｃ３１］
前記少なくとも１つのプロセッサは、前記トランシーバに、
前記アクセスポイントから、前記アクセスポイントが前記アクノレッジメントを受信しないことに基づいて、前記アクノレッジメントを送信することを求める要求を受信することと、
前記アクセスポイントに、前記アクセスポイントによって決定された前記共有された通信媒体のアップリンクサブフレームの間に、前記ダウンリンクサブフレームのアクノレッジメントを送信するここと、
を行わせるようにさらに構成される、Ｃ３０に記載の装置。
［Ｃ３２］
前記アクセスポイントによって決定された前記共有された通信媒体の前記アップリンクサブフレームの間に送信される前記ダウンリンクサブフレームの前記アクノレッジメントは、ＣＣＡ準拠アクノレッジメントを備える、Ｃ３１に記載の装置。
［Ｃ３３］
前記少なくとも１つのプロセッサが、前記トランシーバに送信することを行わせるように、構成されることは、前記少なくとも１つのプロセッサが、前記トランシーバに、前記アクセス端末に割り当てられた前記アクセスポイントの送信機会（ＴｘＯＰ）の間に、前記ダウンリンクサブフレームの前記アクノレッジメントを送信することを行わせるように、構成されることを備える、Ｃ２７に記載の装置。
［Ｃ３４］
前記ダウンリンクサブフレームから少なくとも前記予め決定された数のサブフレーム後に発生する前記アップリンクサブフレームは、前記アクセス端末に割り当てられた前記アクセスポイントの現在のまたは後続の送信機会（ＴｘＯＰ）内のサブフレームのカウントに基づいて決定される、Ｃ２７に記載の装置。
［Ｃ３５］
前記ダウンリンクサブフレームから少なくとも前記予め決定された時間量後に発生する前記アップリンクサブフレームは、絶対時間の測定に基づいて決定され、
前記ダウンリンクサブフレームから少なくとも前記予め決定された時間量後に発生する前記アップリンクサブフレームは、前記ダウンリンクサブフレームから少なくとも前記予め決定された時間量後に発生する前記アクセス端末に割り当てられた前記アクセスポイントの送信機会（ＴｘＯＰ）の最初のアップリンクサブフレームを備える、
Ｃ２７に記載の装置。
［Ｃ３６］
前記アクノレッジメントは、ポジティブアクノレッジメント（ＡＣＫ）またはネガティブアクノレッジメント（ＮＡＣＫ）を備える、Ｃ２７に記載の装置。
［Ｃ３７］
共有された通信媒体へのアクセスを求めて競合するための装置であって、
前記共有された通信媒体上で、ダウンリンクサブフレームのセットおよびアップリンクサブフレームのセットを定義する時分割複信（ＴＤＤ）フレーム構造に従って通信するための手段と、各アップリンクサブフレームは、送信ギャップ期間、コンテンション免除期間、およびコンテンション準拠期間に分割される、
前記送信ギャップ期間の間に、前記共有された通信媒体へのアクセスを求めて競合するためのコンテンションプロシージャを実施するための手段と、
前記コンテンションプロシージャの結果に基づいて、前記コンテンション準拠期間の間に、１つまたは複数のコンテンション準拠アップリンク制御信号を選択的に送信するための手段と、
前記コンテンションプロシージャの前記結果に関わらず、前記コンテンション免除期間の間に、１つまたは複数のコンテンション免除アップリンク制御信号を送信するための手段と、
を備える、装置。
［Ｃ３８］
共有された通信媒体上でアクノレッジメントをスケジューリングするための装置であって、
アクセス端末によって、前記共有された通信媒体上で、ダウンリンクサブフレームのセットおよびアップリンクサブフレームのセットを定義する時分割複信（ＴＤＤ）フレーム構造に従って、アクセスポイントと通信するための手段と、
前記アクセス端末において前記アクセスポイントから、前記共有された通信媒体のダウンリンクサブフレームを受信するための手段と、
前記アクセス端末によって前記アクセスポイントに、前記共有された通信媒体のアップリンクサブフレームの間に、前記ダウンリンクサブフレームのアクノレッジメントを送信するための手段と、前記アップリンクサブフレームは、前記ダウンリンクサブフレームから少なくとも予め決定された数のサブフレーム後に発生するか、前記ダウンリンクサブフレームから少なくとも予め決定された時間量後に発生するか、またはそれらの任意の組合せで発生する、
を備える、装置。
［Ｃ３９］
共有された通信媒体へのアクセスを求めて競合するための非一時的なコンピュータ読み取り可能な媒体であって、
前記共有された通信媒体上で、ダウンリンクサブフレームのセットおよびアップリンクサブフレームのセットを定義する時分割複信（ＴＤＤ）フレーム構造に従って通信するための少なくとも１つの命令と、各アップリンクサブフレームは、送信ギャップ期間、コンテンション免除期間、およびコンテンション準拠期間に分割される、
前記送信ギャップ期間の間に、前記共有された通信媒体へのアクセスを求めて競合するためのコンテンションプロシージャを実施するための少なくとも１つの命令と、
前記コンテンションプロシージャの結果に基づいて、前記コンテンション準拠期間の間に、１つまたは複数のコンテンション準拠アップリンク制御信号を選択的に送信するための少なくとも１つの命令と、
前記コンテンションプロシージャの前記結果に関わらず、前記コンテンション免除期間の間に、１つまたは複数のコンテンション免除アップリンク制御信号を送信するための少なくとも１つの命令と、
を備える、非一時的なコンピュータ読み取り可能な媒体。
［Ｃ４０］
共有された通信媒体上でアクノレッジメントをスケジューリングするための非一時的なコンピュータ読み取り可能な媒体であって、
アクセス端末に、前記共有された通信媒体上で、ダウンリンクサブフレームのセットおよびアップリンクサブフレームのセットを定義する時分割複信（ＴＤＤ）フレーム構造に従って、アクセスポイントと通信させるための少なくとも１つの命令と、
前記アクセス端末に、前記アクセスポイントから、前記共有された通信媒体のダウンリンクサブフレームを受信させる少なくとも１つの命令と、
前記アクセス端末に、前記共有された通信媒体のアップリンクサブフレームの間に、前記ダウンリンクサブフレームのアクノレッジメントを前記アクセスポイントへ送信させるための少なくとも１つの命令と、前記アップリンクサブフレームは、前記ダウンリンクサブフレームから少なくとも予め決定された数のサブフレーム後に発生するか、前記ダウンリンクサブフレームから少なくとも予め決定された時間量後に発生するか、またはそれらの任意の組合せで発生する、
を備える、非一時的なコンピュータ読み取り可能な媒体。